【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
少なくとも１つの副情報処理装置と接続可能な情報処理装置であって、
圧縮された映像データを入力する入力手段と、
前記圧縮された映像データをデコードするデコード手段と、
前記デコード手段から出力される非圧縮の映像データを差動伝送で、前記副情報処理装置に出力する出力手段と、
を有することを特徴とする情報処理装置。
【請求項２】
双方向のコマンドラインにより前記副情報処理装置と通信可能な第１の通信手段と、
前記圧縮された映像データを記録する記録手段と、
前記第１の通信手段及び前記出力手段を制御する制御手段と、
を有し、
前記制御手段は、ユーザの操作に基づいて前記副情報処理装置から前記コマンドラインを介して送信された要求コマンドに応じて、前記非圧縮の映像データを出力するように前記出力手段を制御することを特徴とする請求項１に記載の情報処理装置。
【請求項３】
前記入力手段は、複数のコンテンツに係る複数の映像データを入力し、
前記複数の映像データの解像度を変換する解像度変換手段と、
前記解像度変換手段により解像度変換された複数の映像データを合成する合成手段と、
前記合成手段により合成され出力された映像データに基づいてマルチ画面表示するように表示装置を制御する表示制御手段と、
を有することを特徴とする請求項２に記載の情報処理装置。
【請求項４】
前記表示装置にマルチ画面表示されている映像の中から、ユーザの操作により映像を選択する映像選択手段と、
選択された映像の映像データを出力する副情報処理装置を指定する出力先指定手段と、
を有し、
前記制御手段は、前記映像選択手段と前記出力先指定手段との出力に基づいて、前記映像データを出力するように前記出力手段を制御することを特徴とする請求項３に記載の情報処理装置。
【請求項５】
前記副情報処理装置は、前記記録手段に記録されている映像データに係るコンテンツの中から、ユーザの操作により所定のコンテンツを選択するコンテンツ選択手段と、
前記コンテンツ選択手段からの出力に基づいて前記要求コマンドを送信する第２の通信手段と、
を有し、
前記制御手段は、前記要求コマンドに応じて、選択されたコンテンツに係る映像データを出力するように前記出力手段を制御することを特徴とする請求項２に記載の情報処理装置。
【請求項６】
少なくとも１つの副情報処理装置と接続可能な情報処理装置の制御方法であって、
圧縮された映像データを入力するステップと、
前記圧縮された映像データをデコードするステップと、
デコードされた非圧縮の映像データを差動伝送で、前記副情報処理装置に出力するステップと、
を有することを特徴とする情報処理装置の制御方法。
【手続補正２】
【補正対象書類名】明細書
【補正対象項目名】発明の名称
【補正方法】変更
【補正の内容】
【発明の名称】情報処理装置及びその制御方法
【手続補正３】
【補正対象書類名】明細書
【補正対象項目名】０００１
【補正方法】変更
【補正の内容】
【０００１】
本発明は、例えば複数の映像ソースを表示できるマルチ画面表示機能を有するデジタルテレビを親機の一部とし、上記親機の外部に設けられた子機モニタ装置に対して少なくとも１つの映像ソースを転送することが可能な親機／子機テレビシステムに用いられ、親機の一部を構成する情報処理装置及びその制御方法に関する。
【手続補正４】
【補正対象書類名】明細書
【補正対象項目名】００４１
【補正方法】変更
【補正の内容】
【００４１】
本発明は、かかる問題点に鑑みてなされたものであって、その目的は、低コストで子機でのデジタル放送の視聴を可能とする情報処理装置及びその制御方法を提供することである。
【手続補正５】
【補正対象書類名】明細書
【補正対象項目名】００４２
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】削除
【補正の内容】
【手続補正８】
【補正対象書類名】明細書
【補正対象項目名】００４５
【補正方法】削除
【補正の内容】
【手続補正９】
【補正対象書類名】明細書
【補正対象項目名】００４７
【補正方法】変更
【補正の内容】
【００４７】
本発明に係る情報処理装置は、少なくとも１つの副情報処理装置と接続可能な情報処理装置であって、圧縮された映像データを入力する入力手段と、前記圧縮された映像データをデコードするデコード手段と、前記デコード手段から出力される非圧縮の映像データを差動伝送で、前記副情報処理装置に出力する出力手段と、を有することを特徴とする。
【手続補正１０】
【補正対象書類名】明細書
【補正対象項目名】００４８
【補正方法】変更
【補正の内容】
【００４８】
本発明に係る情報処理装置の制御方法は、少なくとも１つの副情報処理装置と接続可能な情報処理装置の制御方法であって、圧縮された映像データを入力するステップと、前記圧縮された映像データをデコードするステップと、デコードされた非圧縮の映像データを差動伝送で、前記副情報処理装置に出力するステップと、を有することを特徴とする。
【手続補正１１】
【補正対象書類名】明細書
【補正対象項目名】００４９
【補正方法】削除
【補正の内容】
【手続補正１２】
【補正対象書類名】明細書
【補正対象項目名】００５０
【補正方法】削除
【補正の内容】
【手続補正１３】
【補正対象書類名】明細書
【補正対象項目名】００５１
【補正方法】削除
【補正の内容】
【手続補正１４】
【補正対象書類名】明細書
【補正対象項目名】００５２
【補正方法】変更
【補正の内容】
【００５２】
本願発明によれば、アナログテレビ及びアナログＶＴＲ等のレガシー機器ともよばれる装置を用いてもデジタル放送を視聴することができる。このため、低コストでデジタル放送の視聴が可能となる。
【手続補正１５】
【補正対象書類名】明細書
【補正対象項目名】００５３
【補正方法】削除
【補正の内容】
【手続補正１６】
【補正対象書類名】明細書
【補正対象項目名】００５４
【補正方法】削除
【補正の内容】
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】削除
【補正の内容】
【手続補正１９】
【補正対象書類名】明細書
【補正対象項目名】０１８４
【補正方法】変更
【補正の内容】
【０１８４】
図２５（ｅ）も、図２５（ａ）と同じ状態を示すが、親機側のディスプレイ３１に、子機の画像と同一の画像の画像がそのままの色彩で、かつ縮小されて表示されると共に、その画像の周囲に背景として単色の画像が重ねて表示されている。更に、図２５（ｄ）とも異なり、背景中に、「子機で使用中」という案内がＯＳＤとして表示されている。
【手続補正２０】
【補正対象書類名】明細書
【補正対象項目名】０２５７
【補正方法】変更
【補正の内容】
【０２５７】
その後、ステップＳ９０５で選局処理を行い、ステップＳ９０６において、映像切換部３０を制御して、映像デコーダ５ａと解像度変換部７ｃとを接続し、映像デコーダ５ｂと解像度変換部７ｂとを接続したままとし、解像度変換部７ａに残りの映像デコーダ５ｃを接続する。続いて、ステップＳ９０７〜Ｓ９０８の処理を行うことにより、図３７（ｄ）に示すように、放送映像リソースの変更がなされる。
【手続補正２１】
【補正対象書類名】明細書
【補正対象項目名】０２９８
【補正方法】変更
【補正の内容】
【０２９８】
第８の実施形態における親機１０７０には、プログラムに従い親機１０７０全体を制御するＣＰＵ１０６０、プログラムが納められたプログラムＲＯＭ１０５７、及びＣＰＵ１０６０と各部を結ぶ共通バス１０５３が設けられている。共通バス１０５３にはＣＰＵ１０６０及びプログラムＲＯＭ１０５７の他に、ＩＣカード制御部１０５２、リモコンインタフェース１０５５、ＲＡＭ１０５６、タイマ１０５８、不揮発性メモリ１０５９及びＯＳＤ作成部１０６１が接続されている。
【手続補正２２】
【補正対象書類名】明細書
【補正対象項目名】０４４０
【補正方法】変更
【補正の内容】
【０４４０】
図７３（ｄ）に示す状態で、子機１０９５のユーザは、転送解除を了承する場合、ＯＫボタン１０９７を押す。この結果、転送解除を了承する旨を示す信号が子機１０９５から親機へ送信され、図７４（ａ）に示すように、親機のディスプレイ１０９１に、子機へ転送していた映像データに基づく映像及び「転送解除がＯＫとなりました」のメッセージが表示される。また、子機１０９５では、表示部１０８８に、「転送が解除になりました」のメッセージが表示されると共に、選局可能な選択ボタンの横の画面内にマーク１１２５ａが表示される。
【手続補正２３】
【補正対象書類名】明細書
【補正対象項目名】０４４１
【補正方法】変更
【補正の内容】
【０４４１】
一方、図７３（ｄ）に示す状態で、子機１０９５のユーザは、転送解除を拒否する場合、キャンセルボタン１０９８を押す。この結果、転送解除を拒否する旨を示す信号が子機１０９５から親機へ送信され、図７４（ｂ）に示すように、親機のディスプレイ１０９１側に、「転送解除が拒否されました」のメッセージが表示され、子機１０９５の表示部１０８８には、引き続き親機側から転送されている映像データの映像が表示される。